(57)【特許請求の範囲】
【請求項１】
昇降路を昇降するかごと、前記かごの昇降を制御する制御装置とを有したエレベータ装置と、
計画停電が発生する地域情報および予定時刻情報を含む計画停電情報が入力され、前記計画停電情報に基づいて、前記エレベータ装置が設置されている地域において発生する前記計画停電についての前記予定時刻情報を前記制御装置に入力する計画停電情報管理装置と
を備え、
前記制御装置は、前記予定時刻情報に基づいて、前記かごの運転を休止することを特徴とするエレベータ装置システム。
【請求項２】
前記エレベータ装置は、前記かごまたは乗場に設けられた報知装置をさらに有し、
前記制御装置は、前記予定時刻情報に基づいた前記エレベータ装置の運転スケジュール情報を前記報知装置に報知させることを特徴とする請求項１に記載のエレベータ装置システム。
【請求項３】
電力会社が供給する総電力使用量を示す電力供給量情報が入力され、前記総電力使用量が予め設定する所定の電力量を超えたことを検出する電力供給量情報監視装置をさらに備え、
前記制御装置は、前記電力供給量情報監視装置の検出結果に基づいて、前記かごの運転を休止することを特徴とする請求項１または請求項２に記載のエレベータ装置システム。
【請求項４】
前記エレベータ装置に供給される電力の電圧値が予め設定する所定の電圧値を予め設定する所定時間継続して下回ることを検出する電圧監視装置をさらに備え、
前記制御装置は、前記電圧監視装置の検出結果に基づいて、前記かごの運転を休止することを特徴とする請求項１ないし請求項３の何れか１項に記載のエレベータ装置システム。
【請求項５】
前記制御装置は、前記エレベータ装置が設置されている地域において発生する前記計画停電についての中止情報が前記計画停電情報管理装置から入力された場合に、通常運転を継続することを特徴とする請求項１ないし請求項４の何れか１項に記載のエレベータ装置システム。
【請求項６】
昇降路を昇降するかごおよび前記かごの昇降を制御する制御装置を有したエレベータ装置と、計画停電が発生する地域情報および予定時刻情報を含む計画停電情報が入力され、前記計画停電情報に基づいて、前記エレベータ装置が設置されている地域において発生する前記計画停電についての前記予定時刻情報を前記制御装置に入力する計画停電情報管理装置とを備えたエレベータ装置システムの制御方法であって、
前記計画停電が発生する前記地域に設置されている前記エレベータ装置の前記制御装置に前記計画停電情報管理装置が前記予定時刻情報を入力する停電予定時刻情報入力工程と、
前記停電予定時刻情報入力工程の後に、前記制御装置が前記予定時刻情報に基づいて前記かごの運転を休止する運転休止工程と
を備えたことを特徴とするエレベータ装置システムの制御方法。
【請求項７】
前記停電予定時刻情報入力工程の後であって前記運転休止工程の前に、前記制御装置が前記予定時刻情報に基づいた前記エレベータ装置の運転スケジュール情報を、前記かごまたは乗場に設けられた報知装置に報知させる運転スケジュール情報報知工程をさらに備えたことを特徴とする請求項６に記載のエレベータ装置システムの制御方法。
【請求項８】
前記停電予定時刻情報入力工程の後に、前記エレベータ装置が設置されている地域において発生する前記計画停電についての中止情報が前記計画停電情報管理装置から前記制御装置に入力された場合に、前記制御装置は、通常運転を継続することを特徴とする請求項６または請求項７に記載のエレベータ装置システムの制御方法。
【発明の詳細な説明】
【技術分野】
【０００１】
この発明は、かごが昇降路を昇降するエレベータ装置システムおよびエレベータ装置システムの制御方法に関する。
【背景技術】
【０００２】
従来、昇降路を昇降するかごおよびかごの昇降を制御する制御装置を有したエレベータ装置と、エレベータ装置に供給される電力に発生する瞬時停電を検出する瞬時停電検出装置とを備えたエレベータ装置システムが知られている。制御装置は、所定の時間内に所定の回数の瞬時停電の発生を瞬時停電検出装置が検出した場合に、かごを最寄階に移動させて、かごの昇降を停止する。これにより、瞬時停電の後に停電が発生した場合に、乗客がかご内に閉じ込められることが防止される（例えば、特許文献１参照）。
【先行技術文献】
【特許文献】
【０００３】
【特許文献１】特開平６−７２６５８号公報
【発明の概要】
【発明が解決しようとする課題】
【０００４】
しかしながら、電力需要が逼迫することが予想される場合に電力会社が数時間単位で地域ごとに計画的に電力供給を停止する、いわゆる計画停電が発生すると、瞬時停電が発生することなくエレベータ装置への送電が停止されるので、計画停電が発生する前にかごの運転を休止することができない。その結果、乗客がかご内に閉じ込められてしまうという問題点があった。
【０００５】
この発明は、計画停電が発生する前に、かごの運転を休止することができるエレベータ装置システムおよびエレベータ装置システムの制御方法を提供するものである。
【課題を解決するための手段】
【０００６】
この発明に係るエレベータ装置システムは、昇降路を昇降するかごと、前記かごの昇降を制御する制御装置とを有したエレベータ装置と、計画停電が発生する地域情報および予定時刻情報を含む計画停電情報が入力され、前記計画停電情報に基づいて、前記エレベータ装置が設置されている地域において発生する前記計画停電についての前記予定時刻情報を前記制御装置に入力する計画停電情報管理装置とを備え、前記制御装置は、前記予定時刻情報に基づいて、前記かごの運転を休止する。
【０００７】
この発明に係るエレベータ装置システムの制御方法は、昇降路を昇降するかごおよび前記かごの昇降を制御する制御装置を有したエレベータ装置と、計画停電が発生する地域情報および予定時刻情報を含む計画停電情報が入力され、前記計画停電情報に基づいて、前記エレベータ装置が設置されている地域において発生する前記計画停電についての前記予定時刻情報を前記制御装置に入力する計画停電情報管理装置とを備えたエレベータ装置システムの制御方法であって、前記計画停電が発生する前記地域に設置されている前記エレベータ装置の前記制御装置に前記計画停電情報管理装置が前記予定時刻情報を入力する停電予定時刻情報入力工程と、前記停電予定時刻情報入力工程の後に、前記制御装置が前記予定時刻情報に基づいて前記かごの運転を休止する運転休止工程とを備えている。
【発明の効果】
【０００８】
この発明に係るエレベータ装置システムによれば、昇降路を昇降するかごと、かごの昇降を制御する制御装置とを有したエレベータ装置と、計画停電が発生する地域情報および予定時刻情報を含む計画停電情報が入力され、計画停電情報に基づいて、エレベータ装置が設置されている地域において発生する計画停電についての予定時刻情報を制御装置に入力する計画停電情報管理装置とを備え、制御装置は、予定時刻情報に基づいて、かごの運転を休止するので、計画停電情報が計画停電情報管理装置に入力されると、制御装置は、予定時刻情報に基づいて、かごの運転を休止する。これにより、計画停電が発生する前に、かごの運転を休止することができる。
【０００９】
この発明に係るエレベータ装置システムの制御方法によれば、計画停電が発生する地域に設置されているエレベータ装置の制御装置に計画停電情報管理装置が予定時刻情報を入力する停電予定時刻情報入力工程と、停電予定時刻情報入力工程の後に、制御装置が予定時刻情報に基づいてかごの運転を休止する運転休止工程とを備えているので、計画停電情報が計画停電情報管理装置に入力されると、制御装置は、予定時刻情報に基づいて、かごの運転を休止する。これにより、計画停電が発生する前に、かごの運転を休止することができる。
【図面の簡単な説明】
【００１０】
【図１】この発明の実施の形態１に係るエレベータ装置システムを示すブロック図である。
【図２】図１の電力会社から情報センタに計画停電情報が入力される場合のエレベータ装置システムの動作を示すフローチャートである。
【図３】図１のエレベータ装置に広域停電予測情報が入力される場合のエレベータ装置システムの動作を示すフローチャートである。
【発明を実施するための形態】
【００１１】
実施の形態１．
図１はこの発明の実施の形態１に係るエレベータ装置システムを示すブロック図である。図において、エレベータ装置システムは、電力会社１から計画停電情報および電力供給量情報が入力される情報センタ２と、情報センタ２との間で通信を行うエレベータ装置３と、電力会社１がエレベータ装置３に供給する電力の電圧値を監視する買電監視装置（電圧監視装置）４とを備えている。なお、図１では、情報センタ２には、１つのエレベータ装置３が接続されている様子を示しているが、情報センタ２には、複数のエレベータ装置３が接続されている。
【００１２】
計画停電情報とは、電力会社１が行う計画停電についての情報であり、計画停電が発生する地域情報および予定時刻情報並びに計画停電の中止情報を含んでいる。電力供給量情報とは、電力会社１が供給する電力の総電力使用量と、電力会社１が供給可能な最大電力量とを含んだ情報である。
【００１３】
電力会社１から情報センタ２への計画停電情報および電力供給量情報の入力は、定期的に行われるようになっている。情報センタ２は、計画停電情報が入力される計画停電情報管理装置２１と、電力供給量情報が入力される電力供給量情報監視装置２２とを有している。計画停電情報管理装置２１および電力供給量情報監視装置２２は、各エレベータ装置３と電話回線やインターネット回線などの有線回線または無線回線により接続されている。
【００１４】
計画停電情報管理装置２１は、計画停電情報に基づいて、各エレベータ装置３が設置されている地域において発生する計画停電についての予定時刻情報を管理する。また、計画停電情報管理装置２１は、計画停電が発生する地域に設置されているエレベータ装置３に予定時刻情報を入力する。予定時刻情報には、計画停電が行われる日の情報と、その日における計画停電が行われる時間帯の情報とが含まれている。計画停電の予定は、電力需要の変化に大きな影響を与える天候などの状況の変化により、随時、計画の見直しが行われるので、計画停電情報管理装置２１は、計画停電情報が更新されて計画停電情報管理装置２１に入力される度に、予定時刻情報をエレベータ装置３に入力する。また、計画停電情報管理装置２１は、計画停電が中止となった場合に、計画停電が中止となった地域に設置されているエレベータ装置３に、計画停電が中止となったことを示す情報である中止情報を入力する。
【００１５】
電力供給量情報監視装置２２は、電力供給量情報に基づいて、電力会社１が供給する電力の総電力使用量が所定の電力量を超えたことを検出する。所定の電力量とは、電力会社１が供給可能な最大電力量よりも僅かに少ない予め設定する値、例えば、最大電力量の９５．０〜９９．９％の値である。また、電力供給量情報監視装置２２は、電力会社１が供給する電力の総電力使用量が所定の電力量を超えたことを検出すると、広域停電が発生することが予測されることを示す情報である広域停電予測情報をエレベータ装置３に入力する。
【００１６】
一般に、電力会社１が供給する総電力使用量が、電力会社１が供給可能な最大電力量に近づくと、電力会社１が供給する電力の電圧値が低下することが知られている。買電監視装置４は、電力会社１がエレベータ装置３に供給する電力の電圧値を常時計測している。買電監視装置４は、電力会社１がエレベータ装置３に供給する電力の電圧値が所定の電圧値を所定時間以上、例えば、３秒間以上継続して下回ることを検出する。所定の電圧値とは、電力の電圧値がこれ以上に低下すると広域停電が発生すると予想される限界の予め設定する電圧値である。予め設定する所定時間以上、電圧低下状態を検出することにより、落雷などの影響により発生する、例えば、０．１秒間の瞬時的な電圧低下、いわゆる瞬時停電による電圧低下状態を誤検出することが防止される。買電監視装置４は、電力会社１がエレベータ装置３に供給する電力の電圧値が所定の電圧値を所定時間以上継続して下回ることを検出すると、広域停電予測情報をエレベータ装置３に入力する。また、買電監視装置４は、電力会社１がエレベータ装置３に供給する電力の電力値が所定の電圧値を所定時間以上継続して下回ることを検出した後に、電力会社１がエレベータ装置３に供給する電力の電圧値が所定の電圧値以上に上昇しその状態を所定時間継続して安定状態となったことを検出する。買電監視装置４は、電力会社１がエレベータ装置３に供給する電力の電力値が所定の電圧値を所定時間以上継続して下回ることを検出した後に、電力会社１がエレベータ装置３に供給する電力の電圧値が所定の電圧値以上に上昇しその状態を所定時間継続して安定状態となったことを検出すると、電圧が復旧したことを示す情報である電圧復旧情報をエレベータ装置３に入力する。
【００１７】
エレベータ装置３は、制御装置３１と、制御装置３１に電気的に接続された巻上機３２と、巻上機３２の綱車に巻き掛けられたロープ３３と、ロープ３３に接続され、巻上機３２の駆動により昇降路を昇降するかご３４と、かご３４に設けられアナウンスを行うスピーカ３５と、かご３４に設けられたモニタ３６とを有している。スピーカ３５およびモニタ３６から報知装置が構成されている。スピーカ３５は、予定時刻情報に基づいたエレベータ装置３の運転スケジュール情報をアナウンスするようになっている。モニタ３６は、予定時刻情報に基づいたエレベータ装置３の運転スケジュール情報を表示するようになっている。
【００１８】
運転スケジュール情報とは、エレベータ装置３の運転が休止される日の情報と、その日における時間帯の情報とを含んだ情報である。
【００１９】
制御装置３１は、巻上機３２の駆動を制御するエレベータ制御盤３１１と、エレベータ制御盤３１１を監視するエレベータ監視装置３１２とを有している。スピーカ３５およびモニタ３６は、エレベータ制御盤３１１に制御される。
【００２０】
計画停電情報管理装置２１からエレベータ装置３に入力された予定時刻情報および中止情報は、エレベータ監視装置３１２に入力される。電力供給量情報監視装置２２からエレベータ装置３に入力された広域停電予測情報は、エレベータ監視装置３１２に入力される。買電監視装置４からエレベータ装置３に入力された広域停電予測情報および電圧復旧情報は、エレベータ監視装置３１２に入力される。
【００２１】
次に、電力会社１から情報センタ２に計画停電情報が入力される場合のエレベータ装置システムの動作について説明する。図２は図１の電力会社１から情報センタ２に計画停電情報が入力される場合のエレベータ装置システムの動作を示すフローチャートである。まず、計画停電情報管理装置２１は、電力会社１から計画停電情報管理装置２１に計画停電情報が入力されたか否かを判定する（ステップＳ１０１）。ステップＳ１０１で、計画停電情報が入力されていないと計画停電情報管理装置２１が判定すると、ステップＳ１０１が繰り返される。
【００２２】
一方、ステップＳ１０１で、計画停電情報が入力されたと計画停電情報管理装置２１が判定すると、計画停電情報管理装置２１は、計画停電情報に基づいて、計画停電が発生する地域に設置されているエレベータ装置３のエレベータ監視装置３１２に、予定時刻情報を入力する（停電予定時刻情報入力工程）（ステップＳ１０２）。
【００２３】
その後、エレベータ監視装置３１２は、現在時刻が計画停電の行われる予定時刻の予め設定する所定時間前、例えば、２４時間前であるか否かを判定する（ステップＳ１０３）。ステップＳ１０３で、現在時刻が計画停電の行われる予定時刻の所定時間前ではないとエレベータ監視装置３１２が判定すると、ステップＳ１０３が繰り返される。一方、ステップＳ１０３で、現在時刻が計画停電の行われる予定時刻の所定時間前であるとエレベータ監視装置３１２が判定すると、エレベータ制御盤３１１は、運転スケジュール情報をスピーカ３５にアナウンスさせ、かつ、運転スケジュール情報をモニタ３６に表示させる（運転スケジュール情報報知工程）（ステップＳ１０４）。
【００２４】
その後、エレベータ監視装置３１２は、計画停電情報管理装置２１からエレベータ監視装置３１２に中止情報が入力されたか否かを判定する（ステップＳ１０５）。ステップＳ１０５で、中止情報が入力されていないとエレベータ監視装置３１２が判定すると、エレベータ監視装置３１２は、現在時刻が計画停電の行われる予定時刻の予め設定する所定時間前、例えば、５分前であるか否かを判定する（ステップＳ１０６）。ステップＳ２０６で、現在時刻が計画停電の行われる予定時刻の所定時間前ではないとエレベータ監視装置３１２が判定すると、ステップＳ１０６が繰り返される。
【００２５】
一方、ステップＳ１０６で、現在時刻が計画停電の行われる予定時刻の所定時間前であるとエレベータ監視装置３１２が判定すると、エレベータ制御盤３１１は、かご３４が走行しているか否かを判定する（ステップＳ１０７）。ステップＳ１０７で、かご３４が走行しているとエレベータ制御盤３１１が判定すると、計画停電のためにかご３４を最寄階に停止させかご３４の運転を休止する旨をスピーカ３５にアナウンスさせ、さらに、計画停電のためにかご３４を最寄階に停止させかご３４の運転を休止する旨をモニタ３６に表示させた後、かご３４を最寄階に停止させ、かご３４の扉を戸開位置に移動させた後、予め設定する所定時間、例えば、３０秒間経過した後に扉を戸閉位置に移動させ、かご３４の運転を休止して、かご３４を運転休止状態とする（運転休止工程）（ステップＳ１０８）。運転休止状態となると、乗場釦（図示せず）の操作により戸開することはできないが、かご３４内の戸開釦（図示せず）の操作によって戸開することができる。これにより、かご３４内に乗客が取り残されたまま、運転休止状態となっても乗客は容易にかご３４内から出ることができる。また、最寄階に停止した後に図示しない秤装置やカメラなどでかご３４内が無人となったことを検出してから戸閉して運転休止状態とする構成であってもよい。
【００２６】
一方、ステップＳ１０７で、かご３４が走行していないとエレベータ制御盤３１１が判定すると、計画停電のためにかご３４の運転を休止する旨をスピーカ３５にアナウンスさせ、さらに、計画停電のためにかご３４の運転を休止する旨をモニタ３６に表示させた後、かご３４の扉を戸開位置に移動させ、予め設定する所定時間、例えば、３０秒間経過した後に扉を戸閉位置に移動させ、かご３４の運転を休止して、かご３４を運転休止状態とする（運転休止工程）（ステップＳ１０９）。
【００２７】
その後、エレベータ監視装置３１２は、買電監視装置４からの電圧復旧情報を受けたか否かを判定する（ステップＳ１１０）。ステップＳ１１０で、電圧復旧情報を受けていないとエレベータ監視装置３１２が判定するとステップＳ１１０が繰り返される。
【００２８】
一方、ステップＳ１１０で、電圧復旧情報を受けたとエレベータ監視装置３１２が判定すると、エレベータ制御盤３１１は、運転が再開される旨をスピーカ３５にアナウンスさせ、さらに、運転が再開される旨をモニタ３６に表示させる（ステップＳ１１１）。その後、運転を再開する（ステップＳ１１２）。
【００２９】
一方、ステップＳ１０５で、計画停電情報管理装置２１から中止情報がエレベータ監視装置３１２に入力されたと計画停電情報管理装置２１が判定すると、計画停電が解除された旨をスピーカ３５にアナウンスさせ、さらに、計画停電が解除された旨をモニタ３６に表示させ、通常運転を継続する（ステップＳ１１３）。その後、ステップＳ１０１に戻る。
【００３０】
次に、広域停電予測情報がエレベータ装置３に入力される場合のエレベータ装置システムの動作について説明する。図３は図１のエレベータ装置３に広域停電予測情報が入力される場合のエレベータ装置システムの動作を示すフローチャートである。まず、電力供給量情報監視装置２２に電力供給量情報が入力され、買電監視装置４は、エレベータ装置３に供給される電力会社１からの電力の電圧値を常時計測する（ステップＳ２０１）。その後、電力供給量情報監視装置２２は、電力供給量情報に基づいて、電力会社１が供給する電力の総電力使用量が予め設定する所定の電力量を超えたことを検出したか否かを判定する（ステップＳ２０２）。
【００３１】
ステップＳ２０２で、電力会社１が供給する電力の総電力使用量が所定の電力量を超えたことを検出したと電力供給量情報監視装置２２が判定すると、電力供給量情報監視装置２２は広域停電予測情報をエレベータ監視装置３１２に入力する（ステップＳ２０３）。
【００３２】
一方、ステップＳ２０２で、電力会社１が供給する電力の総電力使用量が所定の電力量を超えたことを検出していないと電力供給量情報監視装置２２が判定すると、買電監視装置４は、電圧値情報に基づいて、電力会社１がエレベータ装置３に供給する電力の電圧値が所定の電圧値を下回ることを検出したか否かを判定する（ステップＳ２０４）。ステップＳ２０４で、電力会社１がエレベータ装置３に供給する電力の電圧値が所定の電圧値を下回ることを検出したと買電監視装置４が判定すると、ステップＳ２０３に進む。一方、ステップＳ２０４で、電力会社１がエレベータ装置３に供給する電力の電圧値が所定の電圧値を下回ることを検出していないと買電監視装置４が判定すると、ステップＳ２０１に戻る。
【００３３】
その後、エレベータ制御盤３１１は、かご３４が走行しているか否かを判定する（ステップＳ２０５）。ステップＳ２０５で、かご３４が走行しているとエレベータ制御盤３１１が判定すると、エレベータ制御盤３１１は、広域停電のためにかご３４を最寄階に停止させかご３４の運転を休止する旨をスピーカ３５にアナウンスさせ、さらに、広域停電のためにかご３４を最寄階に停止させかご３４の運転を休止する旨をモニタ３６に表示させた後、最寄階に停止する前に停電が発生する場合を考慮して、非常停止により発生する停止ショックを和らげるために、通常速度よりも遅い速度でかご３４を最寄階に移動させて、かご３４を最寄階に停止させ、かご３４の扉を戸開位置に移動させた後、予め設定する所定時間、例えば、３０秒間経過した後に、扉を戸閉位置に移動させ、かご３４の運転を休止して、かご３４を運転休止状態とする（ステップＳ２０６）。
【００３４】
一方、ステップＳ２０５で、かご３４が走行していないとエレベータ制御盤３１１が判定すると、エレベータ制御盤３１１は、広域停電のためにかご３４の運転を休止する旨をスピーカ３５にアナウンスさせ、さらに、広域停電のためにかご３４の運転を休止する旨をモニタ３６に表示させた後、かご３４の扉を戸開位置に移動させ、予め設定する所定時間、例えば、３０秒間経過した後に扉を戸閉位置に移動させ、かご３４の運転を休止して、かご３４を運転休止状態とする（ステップＳ２０７）。
【００３５】
その後、エレベータ監視装置３１２は、買電監視装置４からの電力復旧情報を受けたか否かを判定する（ステップＳ２０８）。ステップＳ２０８で、電力復旧情報を受けていないとエレベータ監視装置３１２が判定すると、ステップＳ２０８が繰り返される。
【００３６】
一方、ステップＳ２０８で、電力復旧情報を受けたとエレベータ監視装置３１２が判定すると、エレベータ制御盤３１１は、運転が再開される旨をスピーカ３５にアナウンスさせ、さらに、運転が再開される旨をモニタ３６に表示させる（ステップＳ２０９）。その後、運転を再開する（ステップＳ２１０）。
【００３７】
以上説明したように、この発明の実施の形態１に係るエレベータ装置システムによれば、昇降路を昇降するかご３４と、かご３４の昇降を制御する制御装置３１とを有したエレベータ装置３と、計画停電が発生する地域情報および予定時刻情報を含む計画停電情報が入力され、計画停電情報に基づいて、エレベータ装置３が設置されている地域において発生する計画停電についての予定時刻情報を制御装置３１に入力する計画停電情報管理装置２１とを備え、制御装置３１は、予定時刻情報に基づいて、かご３４の運転を休止するので、計画停電情報が計画停電情報管理装置２１に入力されると、制御装置３１は、予定時刻情報に基づいて、かご３４の運転を休止する。これにより、計画停電が発生する前に、かご３４の運転を休止することができる。かご３４が最寄階に停止されかご３４の扉が戸開位置に移動することにより、かご３４内にいる乗客は、かご３４から乗場に容易に移動することができる。また、かご３４が走行している場合には、かご３４を最寄階に停止させた後にかご３４の扉を戸開位置に移動させ、所定時間経過した後に扉を戸閉位置に移動させて、かご３４の運転を休止するので、計画停電が発生する前に、かご３４内にいる乗客は、かご３４から乗場にさらに容易に移動することができる。
【００３８】
また、エレベータ装置３は、かご３４に設けられたスピーカ３５を有し、制御装置３１は、予定時刻情報に基づいたエレベータ装置３の運転スケジュール情報をスピーカ３５にアナウンスさせるので、かご３４内にいる乗客に対して、エレベータ装置３の運転スケジュール情報を報知することができる。
【００３９】
また、エレベータ装置３は、かご３４内に設けられたモニタ３６を有し、制御装置３１は、予定時刻情報に基づいたエレベータ装置３の運転スケジュール情報をモニタ３６に表示させるので、かご３４内にいる乗客に対して、エレベータ装置３の運転スケジュール情報を報知することができる。
【００４０】
また、エレベータ装置システムは、電力会社１が供給する総電力使用量を示す電力供給量情報が入力され総電力使用量が所定の値を超えたことを検出する電力供給量情報監視装置２２をさらに備え、制御装置３１は、電力供給量情報監視装置２２の検出結果に基づいて、かご３４の運転を休止させるので、広域停電が発生する前に、かご３４の運転を休止させることができる。また、かご３４が走行している場合には、かご３４を最寄階に停止させた後にかご３４の扉を戸開位置に移動させ、所定時間経過した後に扉を戸閉位置に移動させて、かご３４の運転を休止するので、広域停電が発生する前に、かご３４内にいる乗客は、かご３４から乗場にさらに容易に移動することができる。
【００４１】
また、エレベータ装置システムは、エレベータ装置３に供給される電圧値が所定の値を所定時間継続して下回ることを検出する買電監視装置４をさらに備え、制御装置３１は、買電監視装置４の検出結果に基づいて、かご３４の運転を休止させるので、広域停電が発生する前に、かご３４の運転を休止させることができる。また、かご３４が走行している場合には、かご３４を最寄階に停止させた後にかご３４の扉を戸開位置に移動させ、所定時間経過した後に扉を戸閉位置に移動させて、かご３４の運転を休止するので、広域停電が発生する前に、かご３４内にいる乗客は、かご３４から乗場にさらに容易に移動することができる。
【００４２】
また、この発明の実施の形態１に係るエレベータ装置システムの制御方法によれば、計画停電が発生する地域に設置されているエレベータ装置３の制御装置３１に計画停電情報管理装置２１が予定時刻情報を入力する停電予定時刻情報入力工程と、停電予定時刻情報入力工程の後に、制御装置３１が予定時刻情報に基づいてかご３４の運転を休止させる運転休止工程とを備えているので、計画停電情報が計画停電情報管理装置２１に入力されると、制御装置３１は、予定時刻情報に基づいて、かご３４の運転を休止させる。これにより、計画停電が発生する前に、かご３４の運転を休止させることができる。また、かご３４が走行している場合には、かご３４を最寄階に停止させた後にかご３４の扉を戸開位置に移動させ、所定時間経過した後に扉を戸閉位置に移動させて、かご３４の運転を休止するので、計画停電が発生する前に、かご３４内にいる乗客は、かご３４から乗場にさらに容易に移動することができる。
【００４３】
また、停電予定時刻情報入力工程の後であって運転休止工程の前に、制御装置３１が予定時刻情報に基づいたエレベータ装置３の運転スケジュール情報を、かご３４に設けられたスピーカ３５にアナウンスさせる運転スケジュール情報報知工程を備えているので、かご３４内にいる乗客に対して、エレベータ装置３の運転スケジュール情報を報知させることができる。
【００４４】
また、停電予定時刻情報入力工程の後であって運転休止工程の前に、制御装置３１が予定時刻情報に基づいたエレベータ装置３の運転スケジュール情報を、かご３４に設けられたモニタ３６に表示させる運転スケジュール情報報知工程を備えているので、かご３４内にいる乗客に対して、エレベータ装置３の運転スケジュール情報を報知させることができる。
【００４５】
なお、上記実施の形態１では、計画停電情報管理装置２１、電力供給量情報監視装置２２および買電監視装置４を備えたエレベータ装置システムについて説明したが、計画停電情報管理装置２１、電力供給量情報監視装置２２および買電監視装置４のうちの少なくとも、計画停電情報管理装置２１または電力供給量情報監視装置２２を備えたエレベータ装置システムであればよい。
【００４６】
また、上記実施の形態１では、電力会社１が供給する電力の総電力使用量が所定の電力量を超えたことを検出していないと電力供給量情報監視装置２２が判定した場合に、買電監視装置４が、電力会社１がエレベータ装置３に供給する電力の電圧値が所定の電圧値を所定時間継続して下回ることを検出したか否かを判定する構成について説明したが、電力会社１がエレベータ装置３に供給する電力の電圧値が所定の電圧値を所定時間継続して下回ることを検出していないと買電監視装置４が判定した場合に、電力供給量情報監視装置２２が、電力会社１が供給する電力の総電力使用量が所定の電力量を超えたことを検出したか否かを判定する構成であってもよい。
【００４７】
また、上記実施の形態１では、制御装置３１が、エレベータ制御盤３１１およびエレベータ監視装置３１２を有した構成について説明したが、エレベータ装置３が、エレベータ制御盤３１１を有し、エレベータ監視装置３１２を有さない構成であってもよい。この場合、予定時刻情報、中止情報、広域停電予測情報、電圧復旧情報は、エレベータ制御盤３１１に入力される。
【００４８】
また、上記実施の形態１では、スピーカ３５およびモニタ３６を有したエレベータ装置３の構成について説明したが、これらを有しないエレベータ装置３であってもよく、また、何れか一方のみを有したエレベータ装置３であってもよい。
【００４９】
また、上記実施の形態１では、スピーカ３５およびモニタ３６がかご３４に設けられる構成について説明したが、スピーカ３５およびモニタ３６が乗場（図示せず）に設けられる構成であってもよい。
【００５０】
また、各判断における所定の電力量や所定の電圧値、所定の時間は任意に設定することが可能であり、作業員がエレベータ制御盤３１１に携帯端末を接続して設定し、または、情報センタ２側より回線を通じて遠隔操作によって設定することができる。
【符号の説明】
【００５１】
１  電力会社、２  情報センタ、３  エレベータ装置、４  買電監視装置（電圧監視装置）、２１  計画停電情報管理装置、２２  電力供給量情報監視装置、３１  制御装置、３２  巻上機、３３  ロープ、３４  かご、３５  スピーカ、３６  モニタ、３１１  エレベータ制御盤、３１２  エレベータ監視装置。
【図１】
0005554751.tif 000002
【図２】
0005554751.tif 000003
【図３】
0005554751.tif 000004